(57)【要約】      （修正有）【課題】食材や飲料を入れ、直接電磁調理器で温め、そのまま食器として使用することのできる飲食用食器を提供する。【解決手段】飲食用食器１は、カップ本体である本体１１と、底面１２により構成される。本体１１は陶器であり、底面１２と一体に成形される。底面１２は電磁誘導発熱部１３ａを備える。電磁誘導発熱部１３ａは、金属製の円形の膜である。電磁誘導発熱部１３ａを構成する膜は、飲食用食器１の外側の底面１２に金属を溶着したもので、例えば、アルミニウム、又はアルミニウム合金を溶射し１００ミクロン前後の厚さの被膜を設け、表面に表面を保護するフッ素加工を施したものである。電磁誘導発熱部１３ａは、発熱体として銀を用いることが好ましいが、導電性のある金属であれば、銀に限るものではない。電磁誘導発熱部１３ａは、底面１２の直径の７０％〜８０％の直径を有する。【選択図】図１
0003181379.tif 000002
【実用新案登録請求の範囲】
【請求項１】
非金属の素材からなり、底面に電磁誘導発熱部を設けたことを特徴とする飲食用食器。
【請求項２】
請求項１に記載の飲食用食器であって、
前記素材は陶器又は磁器であることを特徴とする飲食用食器。
【請求項３】
請求項１に記載の飲食用食器であって、
前記素材はガラスであることを特徴とする飲食用食器。
【請求項４】
請求項１から３のいずれか一項に記載の飲食用食器であって、
前記電磁誘導発熱部は、導電膜を溶着、接着、又は内包したものである
ことを特徴とする飲食用食器。
【請求項５】
請求項１から４のいずれか一項に記載の飲食用食器であって、
皿、丼、又は茶碗であることを特徴とする飲食用食器。
【請求項６】
請求項１から４のいずれか一項に記載の飲食用食器であって、
カップ、徳利、猪口、又は湯呑であることを特徴とする飲食用食器。
【請求項７】
請求項３に記載の飲食用食器であって、
前記電磁誘導発熱部は、透明導電膜とするものであることを特徴とする飲食用食器。
【請求項８】
請求項１から７のいずれか一項に記載の飲食用食器であって、
前記電磁誘導発熱部の底面を、当該飲食用食器の接地面から０．５〜５ｍｍ窪ませた
ことを特徴とする飲食用食器。
【請求項９】
請求項１から８のいずれか一項に記載の飲食用食器であって、
前記電磁誘導発熱部により当該飲食用食器に絵柄を形成した
ことを特徴とする飲食用食器。
【請求項１０】
請求項１から９のいずれか一項に記載の飲食用食器であって、
前記電磁誘導発熱部をキュリー温度を有する強磁性金属とする
ことを特徴とする飲食用食器。
【請求項１１】
電磁誘導発熱部と、
前記電磁誘導発熱部を飲食用食器に着脱可能に固定する接合部とを備える飲食用食器用台座。
【考案の詳細な説明】
【技術分野】
【０００１】
本考案は、飲食用食器に関する。
【背景技術】
【０００２】
従来、加熱調理を行うために、ガスコンロが家庭又は店舗等で用いられていたが、近年はＩＨ調理器等の電磁調理器が普及している。ガスコンロでは、熱効率の良い金属製の調理器具が用いられる。電磁調理器では、電磁誘導の原理によって加熱が行われるため、電気抵抗の大きい鉄やステンレス製の調理器具が主に用いられる。
【０００３】
電磁調理器を用いて、カップ一杯分の温かい飲料を作る場合には、金属製のやかんや鍋で飲料を温め、カップに移し替える作業が必要となる。同様に、一合の酒を温めたい場合には、鍋に湯を張り、酒を入れた徳利を湯煎にかける必要がある。カップや徳利は主に陶磁器製であり、絶縁体であるため電磁調理器で直接温めることができない。
【０００４】
なお、特許文献１には、底部分とこの底部分の周囲から一方側へ延設された側壁部分とで容器状に形成された容器本体と、前記容器本体の底部分の外側に位置され電磁調理器で発生させられる磁界によって発熱する発熱プレートと、前記発熱プレートを前記容器本体に対して固定すると共に当該容器本体を電磁調理器上で支持可能に構成された固定手段と、を備えた、電磁調理器用容器としての土鍋が公開されている。
【先行技術文献】
【特許文献】
【０００５】
【特許文献１】特開２０１２−１５７６０１号
【考案の開示】
【考案が解決しようとする課題】
【０００６】
上述の特許文献１に開示された技術は、土鍋に関する技術であるため、温めた食材を別の食器に移し替えなければならない。調理した食材や飲料が口に入るために、調理器具と食器とを出す必要がある。使用後には調理器具、食器ともに飲食物が付着するため、調理器具、食器とも洗わなければならない。
【０００７】
本考案は、食材や飲料を入れ、直接電磁調理器で温め、そのまま食器として使用することのできる飲食用食器を提供するものである。
【課題を解決するための手段】
【０００８】
上記課題を解決するために、本考案に係る飲食用食器は、非金属の素材からなり、底面に電磁誘導発熱部を設けたことを特徴とする。
【０００９】
前記素材は、陶器又は磁器であることを特徴としてもよい。
【００１０】
また、前記素材はガラスであることを特徴としてもよい。
【００１１】
また、前記電磁誘導発熱部は、導電膜を溶着、接着、又は内包したものとしてもよい。
【００１２】
また、当該飲食用食器は、皿、丼、又は茶碗であることとしてもよい。
【００１３】
また、当該飲食用食器は、カップ、徳利、猪口、又は湯呑であることとしてもよい。
【００１４】
また、前記電磁誘導発熱部は、透明導電膜とするものであることとしてもよい。
【００１５】
また、当該飲食用食器は、前記電磁誘導発熱部の底面を、当該飲食用食器の接地面から０．５〜５ｍｍ窪ませたことを特徴としてもよい。
【００１６】
また、当該飲食用食器は、前記電磁誘導発熱部により当該飲食用食器に絵柄を形成してもよい。
【００１７】
また、前記電磁誘導発熱部をキュリー温度を有する強磁性金属としてもよい。
【００１８】
また、上記課題を解決するために、本考案に係る飲食用食器用台座は、電磁誘導発熱部と、前記電磁誘導発熱部を飲食用食器に着脱可能に固定する接合部とを備えることとしてもよい。
【考案の効果】
【００１９】
本考案によれば、食材や飲料を入れ、直接電磁調理器で温め、そのまま食器として食卓に出すことのできる飲食用食器を提供することができる。
【図面の簡単な説明】
【００２０】
【図１】第１の実施形態における飲食用食器の外観を示した図である。
【図２】第１の実施形態における飲食用食器の第１の変形例を説明するための図である。
【図３】第１の実施形態における飲食用食器の第２の変形例を説明するための図である。
【図４】第２の実施形態における飲食用食器の外観を示した図である。
【考案を実施するための形態】
【００２１】
（第１の実施形態）
【００２２】
以下、図面に基づいて本考案の実施の形態を説明する。図１は、第１の実施形態における飲食用食器の外観を示した図である。
【００２３】
図１(a)は、本実施形態における飲食用食器の正面図であり、図１(b)は、飲食用食器の使用例を示す図である。図１(c)は、飲食用食器の底面を示す図である。なお、本実施形態における飲食用食器１は、カップである。
【００２４】
本実施形態は、飲食用食器１と、電磁調理器１０とを備える。飲食用食器１は、カップ本体である本体１１と、底面１２により構成される。本体１１は取っ手を備えている。本体１１は陶器であり、底面１２と一体に成形される。底面１２はカップを平面上に置いた場合に設置する面である。本体１１は、直径が約５〜９ｃｍであり、高さが約５〜１０ｃｍである。
【００２５】
図１(a)に図示するように、底面１２は電磁誘導発熱部１３ａを備える。電磁誘導発熱部１３ａは、金属製の円形の膜である。電磁誘導発熱部１３ａを構成する膜は、飲食用食器１の外側の底面１２に金属を溶着したもので、例えば、アルミニウム、又はアルミニウム合金を溶射し１００ミクロン前後の厚さの被膜を設け、表面に表面を保護するフッ素加工を施したものである。なお、粉末金属材料を焼き付けたり、金属薄膜や、板材を耐熱性の接着剤で接着したりしても良い。電磁誘導発熱部１３ａは、発熱体として銀を用いることが好ましいが、導電性のある金属であれば、銀に限るものではない。
【００２６】
電磁誘導発熱部１３ａは、底面１２の直径の７０％〜８０％の直径を有する。
【００２７】
図１(b)に示すように、飲食用食器１を電磁調理器１０に直接載置する。電磁調理器１０のスイッチを入れると、電磁調理器１０の内部にあるコイルに電流が流れ、電磁誘導の原理で電磁誘導発熱部１３ａが発熱する。電磁誘導発熱部１３ａに生じた熱が底面１２及び本体１１を熱し、本体１１内部の飲料が温められる。
【００２８】
また、図１(c)に示すように、電磁誘導発熱部１３ａとカップの底接地面である底面１２との間に１ｍｍ前後（例えば０．５〜５ｍｍ）の隙間Ｓを設けている。この構成は、電磁誘導発熱部１３ａが電磁調理器と接することで局部的に高温となるため、電磁誘導発熱部１３ａが局部的に解けたりする事を防止すると共に、電磁誘導発熱部１３ａを傷から守り、カップを安定させ、ガタ付きを防止するものである。
【００２９】
なお、図１(c)はカップ底面の接地面形状を限定するものではない。また、図１ではカップに蓋が無いが、蓋を設けたカップでも良い。
【００３０】
この構成により、飲料を温めるためにやかんや鍋等の調理器具を使用することなく、直接カップを電磁調理器１０で温めることができ、そのままカップを飲用に用いることができる。
【００３１】
なお、飲食用食器１は陶器に限られず、磁器又は耐熱ガラス等、非金属の素材であればよい。また、飲食用食器１は上述の大きさに限られない。さらに、取っ手のない湯呑や猪口等であってもよい。
【００３２】
また、電磁誘導発熱部１３ａは、飲食用食器１の内側の底面１２に接着されていてもよい。内側に接着すると、外側に接着する場合に比べ剥脱しづらくなる。
【００３３】
付言すれば、電磁誘導発熱部１３ａは、金属膜により構成するものに限られない。例えば、底面１２を構成する素材に金属を含有させる方式、底面１２に対し溶剤で溶かした金属を溶射する方式、溶融した金属を底面１２に塗布し定着させる方式、飲食用食器１の生成過程において、金属膜を本体１１の底面１２の素材内部に内包する方式等、電磁調理器で加熱することのできる方法で構成するものであればよい。
【００３４】
さらに、電磁誘導発熱部１３ａを底面１２よりも上側、つまりカップの開口部方向に窪ませて設け、突起を設けずに表面を絶縁性材料でコーティングすることで、電子レンジの使用によるスパークを防止する事が出来る。
【００３５】
なお、電磁誘導発熱部１３ａは円形に限るものではなく、カップ及び電磁誘導発熱部の大きさも上述の形態に限られない。
（第１の変形例）
【００３６】
次に、第１の実施形態の第１の変形例について説明する。第１の変形例における飲食用食器は、電磁調理器により加熱される金属板を接合部により固定する。以下、上述の実施形態と異なる点について説明し、重複する点については説明を省略する。
【００３７】
図２は、第１の実施形態における飲食用食器の第１の変形例を説明するための図である。第１の実施形態の変形例における飲食用食器２は、本体１１、底面１２及び電磁誘導発熱部１３ｂを備える湯呑である。図２(a)は、飲食用食器２の外観を示す図であり、図２(b)は飲食用食器２の断面図であり、図２(c)は飲食用食器の底面を示す図である。
【００３８】
電磁誘導発熱部１３ｂは、接合部２１と金属板２２とを備える。本体１１は、接合部２１を固定するための凸部２３を備える。
【００３９】
接合部２１は、シリコンゴム又はエラストマーからなる環状の部材である。接合部２１は、凹部２４を備える。凹部２４は、飲食用食器２の備える凸部２３と金属板２２を挟み込むことができる。接合部２１は、飲食用食器２と金属板２２とを環状に固定する。
【００４０】
接合部２１は飲食用食器２及び金属板２２に対し着脱自在に装着される。接合部２１を飲食用食器２から取り外すと、金属板２２が飲食用食器から分離される。金属板２２はステンレスである。
【００４１】
なお、金属板２２にキュリー温度を有する強磁性体を使用することにより、金属板２２や飲食用食器２が必要以上に加熱しないよう調整することができる。所定の温度で磁化が減少するよう構成することにより、カップの温度がそれ以上上昇しないようにすることができる。
【００４２】
所定の温度は何度でもよい。例えば、６０度〜１００度とすることが望ましい。さらに、７０度〜９５度とすることで、お茶を入れる際に適切な温度となり望ましい。また、３５度〜４５度とすることで、乳児に与える粉ミルクを溶かす際に適切な温度とすることができる。
【００４３】
飲食用食器２を電磁調理器１０に載置すると、接合部２１に固定された金属板２２が電磁誘導により加熱され、飲食用食器１の内部の飲料が温まる。使用後は、本体１１から接合部２１と金属板２２を取り外し、別々に洗浄することができる。
【００４４】
また、ここでは図示しないが、接合部２１をプラスチックで成形し、飲食用食器２の底面１２に嵌合したり、ネジ状に接合しても良い。また、この際、板状にプラスチック成型した接合部２１に対して金属薄膜を貼り付けて金属板２２としたり、金属を蒸着して金属板２２としてもよい。
【００４５】
ここでの用途として、カップのお湯を温める用途に使用する場合、１００℃以下の温度範囲であり、プラスチックの耐熱（例えばナイロンの熱変形温度１８０℃〜２４０℃）でまかなえる。
【００４６】
この構成により、飲食用食器２を直接電磁調理器１０で加熱し、そのまま食器として用いることができる。また、金属板２２と本体１１との熱膨張率が異なる場合であっても、接合部２１が金属板２２及び本体１１の熱膨張を吸収するため、金属板２２と本体１１との剥脱及び破損を防ぐことができる。
【００４７】
なお、接合部２１はこの形状及び構成に限られず、本体１１及び金属板２２を着脱自在に固定する形状であればよい。また、接合部２１は本体１１に対し着脱せず、接着等により固定するものであってもよい。同様に、金属板２２と接合部２１が接着等により固定されるものであってもよい。さらに、金属板２２はステンレスに限られず、電磁調理器１０により加熱される素材であればよい。
【００４８】
また、飲食用食器２は、電磁誘導発熱部１３ｂが取り外された状態においても、食器として使用できることは言うまでもない。
（第２の変形例）
【００４９】
次に、第１の実施形態における第２の変形例について説明する。第２の変形例における飲食用食器は、皿、丼又は徳利である。図３は、第１の実施形態における飲食用食器の第２の変形例を説明するための図である。以下、上述の実施形態と異なる点について説明し、重複する点については説明を省略する。
【００５０】
図３(a)及び図３(b)は、飲食用食器３の外観を示す図である。飲食用食器３は皿である。図３(a)は、飲食用食器３として、カレーを盛る際に用いられるようないわゆる深皿を示すが、第２の変形例における皿は深皿に限るものではない。
【００５１】
飲食用食器３は、電磁誘導発熱部１３ｃを備える。そのため、飲食用食器３を直接電磁調理器１０に載置し、内容物である飲食物を温め、そのまま食器として食卓に出すことができる。
【００５２】
図３(c)及び図３(d)は、飲食用食器４の外観を示す図である。飲食用食器４は丼である。飲食用食器４は、電磁誘導発熱部１３ｄを備えるため、飲食用食器４に食材を入れ、そのまま電磁調理器１０に載置し、必要な調理を加えて、そのまま食器として用いることができる。
【００５３】
図３(e)及び図３(f)は、飲食用食器５の外観を示す図である。飲食用食器５は徳利である。飲食用食器５は、電磁誘導発熱部１３ｅを備えるため、飲食用食器５に酒を入れ、電磁調理器１５に載置して温め、そのまま徳利として用いることができる。酒を燗にするために、湯煎等にかける必要がなく、便利である。
【００５４】
このように、本実施形態における飲食用調理器は、電磁誘導発熱部を備えるため、電磁調理器の調理に用い、その後そのまま食器として飲食に用いることができる。そのため、鍋やフライパン等の調理器具を用いて調理を行う必要がなく、利便性がある。使用後においても、調理器具を洗浄する必要がないため、手間が省けると共に、水資源の節約にも資することができる。
【００５５】
なお、飲食用食器は皿、丼、徳利に限られず、猪口、茶碗等であってもよい。また、飲食用食器の本体は非金属であればよく、例えば木製であってもよい。そのため、汁物に用いられる椀等にも本技術を用いることができる。
（第２の実施形態）
【００５６】
次に、第２の実施形態について説明する。図４は、第２の実施形態における飲食用食器の外観を示した図である。第２の実施形態における飲食用食器は、透明である。以下、第１の実施形態と異なる点について説明し、重複する点については説明を省略する。
【００５７】
第２の実施形態における飲食用食器６は、本体１４及び電磁誘導発熱部１３ｆを備える。飲食用食器６は、カップである。本体１４は底面１５を有し、本体１４外部の底面１５に電磁誘導発熱部１３ｆが接着されている。接着には、接着後に透明になり、耐熱性のある接着剤が用いられる。本体１４は耐熱ガラスである。
【００５８】
電磁誘導発熱部１３ｆは、いわゆる透明導電膜である。電磁誘導発熱部１３ｆは、酸化インシジウムスズ（ＩＴＯ）、又は酸化亜鉛等、透明（半透明のものを含む）であり、かつ導電性のある素材により生成される。
【００５９】
飲食用食器６は、本体１４及び電磁誘導発熱部１３ｆが透明であるため、全体が透明となっている。
【００６０】
飲食用食器６に水や飲料を入れ、電磁調理器１０に載置する。電磁調理器１０のスイッチを入れると、電磁調理器１０内のコイルに電流が流れ、電磁誘導発熱部１３ｆが電磁誘導により加熱され、飲食用食器６内部の飲料が温まる。
【００６１】
この構成により、内部に飲料を入れ、電磁調理器で調理し、そのまま飲用に用いることのできる飲食用食器６を提供することができる。飲食用食器６は全体が透明であるため、内容物の状態を視認することができ便利である。また、見た目にも美麗である。
【００６２】
なお、飲食用食器６はカップに限られず、例えば急須、ティーポット、徳利でもよい。また、例えば皿、丼、茶碗、猪口または湯呑でもよい。さらに、電磁誘導発熱部１３ｆは、本体１４内部の底面１５に接着されていてもよく、また飲食用食器６の生成過程において、本体１４の底面１５の素材内部に内包されてもよい。
【００６３】
また、電磁誘導発熱部の形状は円形で示してきたが、形状を限定する訳では無く、例えば、リング状に設けたり、複数の水玉模様としたり、放射状にしたり、花や、模様、キャラクターの陰影などとしても良い。
【００６４】
以上、各実施形態に基づき本考案の説明を行ってきたが、上記実施形態に示した要件に本考案が限定されるものではない。本考案の構成要素は、考案の主旨をそこなわない範囲で変更することができ、その応用形態に応じて適切に定めることができる。
【００６５】
また、各実施形態は、それぞれの特徴を組み合わせることができる。上述のいずれかの飲食用食器が、他の実施形態の特徴を併せ持つものであってもよい。
【符号の説明】
【００６６】
１：飲食用食器、２：飲食用食器、３：飲食用食器、４：飲食用食器、５：飲食用食器、６：飲食用食器、１０：電磁調理器、１１：本体、１２：底面、１３ａ・１３ｂ・１３ｃ・１３ｄ・１３ｅ・１３ｆ：電磁誘導加熱部、２１：接合部、２２：金属板、２３：凸部、２４：凹部
【図１】
0003181379.tif 000003
【図２】
0003181379.tif 000004
【図３】
0003181379.tif 000005
【図４】
0003181379.tif 000006